(57)【要約】      （修正有）【課題】ぜんまいバネを設定するときに、どの程度巻きつけたのかを適正に表示するための手段を備えた引き戸閉鎖装置を提供する。【解決手段】引き戸閉鎖装置１０のケーシング１２は、ぜんまいバネの内端が固定されたシャフト１４に対して横断方向に延びる端壁２４を有し、端壁２４には細長いガイド孔４０が設けられる。シャフト１４にはカム板３６が固定され、該カム板の端壁２４に向かう面にはシャフト１４を中心としたらせん状溝３８が設けられる。端壁２４とカム板３６との間には、ガイド孔４０及びらせん状溝３８にそれぞれ摺動係合された回転数表示部材４２が設けられる。シャフト１４の回転に伴うカム板３６の回転によってらせん状溝３８が回転されると、回転数表示部材４２が、ガイド孔４０に沿って動かされる。【選択図】図２
2006070559.tif 000002
【特許請求の範囲】
【請求項１】
ケーシングと、
ケーシングに軸線を中心に回動可能に取り付けられたシャフトと、
該シャフトに同芯状に取り付けられ、シャフトに対して相対的に回転可能とされたドラムと、
内端がシャフトに固定され、外端がドラムに固定されたぜんまいバネと、
ドラムに巻きつけられ、一端が該ドラムに固定され、他端がケーシングの外部へ延びて、ケーシングから引き出されることによりぜんまいバネが巻きつけられる方向にドラムを回転するようになされたワイヤーと
を有する引き戸閉鎖装置において、
ケーシングが、シャフトに対して横断方向に延びる端壁を有し、
該端壁には細長いガイド孔が設けられ、
シャフトには、ケーシング内において該シャフトに固定され、上記端壁に向かう面を有するカム板が設けられ、
カム板の上記面にはシャフトを中心としてらせん状溝が設けられ、
上記端壁とカム板との間には、ガイド孔及びらせん状溝にそれぞれ摺動係合された回転数表示部材が設けられ、
該回転数表示部材は、シャフトが回転されるのに伴ってカム板が回転されるときに、らせん状溝が回転数表示部材に対して摺動しながら相対的に変位し、回転数表示部材はそれに伴って、ガイド孔に沿って動かされ、シャフトに対して半径方向で離れるか若しくは近づくようになされている
ことを特徴とする引き戸閉鎖装置。
【請求項２】
上記カム板及び端壁がシャフトの軸線に対して直角方向に延びるようにされていることを特徴とする請求項１に記載の引き戸閉鎖装置。
【請求項３】
ガイド孔がシャフトの軸線を中心にした半径方向に延びていることを特徴とする請求項１若しくは２に記載の引き戸閉鎖装置。
【発明の詳細な説明】
【技術分野】
【０００１】
本発明は、引き戸が開けられたときに、自動的に引戻して閉鎖するための引き戸閉鎖装置に関する。
【背景技術】
【０００２】
引き戸閉鎖装置は、ぜんまいバネを利用して開かれた引き戸を引戻すようにした装置である。該装置は、通常は、ケーシングと、ケーシングに軸線を中心に回動可能に取り付けられたシャフトと、該シャフトに同芯状に取り付けられ、シャフトに対して相対的に回転可能とされたドラムと、内端がシャフトに固定され、外端がドラムに固定されたぜんまいバネと、ドラムに巻きつけられ、一端が該ドラムに固定され、他端がケーシングの外部へ延びて引き戸に接続されるようにしたワイヤーとを主要な構成エレメントとして有する。
【０００３】
引き戸閉鎖装置が、引き戸が開けられたときに該引き戸を引戻す力は、引き戸が開けられることによって、それ以前に、予め巻きつけられた状態よりも更に巻きつけられたぜんまいバネの復元力によるものである。すなわち、当該ぜんまいバネの復元力、従って、引き戸に対する引戻し力は、ぜんまいバネを予め巻きつけられる程度によって決定される。従って、引き戸閉鎖装置は、それが取り付けられる引き戸の重量等に応じて、そのぜんまいバネが予め巻きつけられ、引き戸に対する引戻し力を調節するようになっている（例えば、特許文献１、特許文献２、特許文献３、特許文献４参照）。  
【特許文献１】特開平７−２５９４２４
【特許文献２】特開平７−２５９４２５
【特許文献３】実開平５−５２１６４
【特許文献４】実用新案登録第３０８１３２１号
【特許文献５】特開２００２−８１２５９
【発明の開示】
【発明が解決しようとする課題】
【０００４】
従って、この種の閉鎖装置においては、ぜんまいバネに所要の復元力を与えるために、該ぜんまいバネを何回巻きつけたかを知ることが、適切な復元力を与えるためにも大切である。
【０００５】
しかしながら、従来のこの種の閉鎖装置においては、そのための表示機能が十分ではなく、ぜんまいバネを巻きすぎて、該ぜんまいバネを破損してしまったりする虞がある。このため、ぜんまいバネをどの程度巻きつけたかを示す装置が開発されているが（特許文献５）、それを正確に表示するためのものは開発されていない。
【課題を解決するための手段】
【０００６】
本発明は、このような点に鑑み、ぜんまいバネを設定するときに、どの程度巻きつけたのかを適正に表示するための手段を備えた引き戸閉鎖装置を提供することを目的としている。
【０００７】
すなわち、本発明は、
ケーシングと、
ケーシングに軸線を中心に回動可能に取り付けられたシャフトと、
該シャフトに同芯状に取り付けられ、シャフトに対して相対的に回転可能とされたドラムと、
内端がシャフトに固定され、外端がドラムに固定されたぜんまいバネと、
ドラムに巻きつけられ、一端が該ドラムに固定され、他端がケーシングの外部へ延びて、ケーシングから引き出されることによりぜんまいバネが巻きつけられる方向にドラムを回転するようになされたワイヤーと
を有する引き戸閉鎖装置において、
ケーシングがシャフトに対して直角方向に延びる端壁を有し、該端壁にシャフトの軸線を基準にして半径方向で内側から外側へ伸びる細長いカム孔を有し、
当該引き戸閉鎖装置が、更に、
ケーシング内でシャフトに固定され、該ケーシングの上記端壁に面するようにしてシャフトに直角にされた平面を有し、該平面にらせん状のカム輪郭部が形成されているカム板と、
カム輪郭部に摺動可能に係合され、シャフトの軸線方向に伸びカム孔に通されたカム従動子と
を有し、
ワイヤーのケーシングに対する引出／引戻によるドラムの回転に伴って、カム従動子がカム輪郭部によって動かされカム孔に沿って変位するようにした
ことを特徴とする引き戸閉鎖装置を提供する。
【０００８】
具体的には、カム板を円盤状とし、カム輪郭部をシャフトを中心にしたらせん状にした溝として形成することができる。
【０００９】
より具体的には、カム孔をシャフトの軸線を中心にした放射状線に沿って延びるようにすることができる。
【発明の効果】
【００１０】
本発明に係る引き戸閉鎖装置は、以上のように構成されるものであり、ぜんまいバネを予め設定するために、該ぜんまいバネを巻きつける方向でシャフトを回転させた場合、その回転角度もしくは回転回数に比例して、カム従動子が当該閉鎖装置の端壁のシャフトを基準にした半径方向で変位することになり、当該ドラムに従ってぜんまいバネの巻きつけ状態を容易に認識することが可能となる。
【発明を実施するための最良の形態】
【００１１】
以下、本発明に係る引き戸閉鎖装置の実施形態を添付図面に基づき説明する。
図１は、本発明に係る引き戸閉鎖装置１０の一部切欠き斜視図、図２は図１のII-II線に沿って見た断面図である。
【００１２】
図示にように、該引き戸閉鎖装置１０は、ケーシング１２と、該ケーシング１２に対し、軸線を中心に回動可能に取り付けられたシャフト１４と、該シャフト１４に同芯状に取り付けられ、シャフトに対して相対的に回転可能とされたドラム１６と、内端がシャフトに固定され、外端がドラムに固定されたぜんまいバネ１８と、ドラムに巻きつけられ、一端が該ドラムに固定され、他端がケーシングの外部へ延びて、ケーシングから引き出されることによりぜんまいバネが巻きつけられる方向にドラムを回転するようになされたワイヤー２０とを有する。
【００１３】
ケーシング１２は、シャフト１４の軸線方向で間隔をあけて設けられた第１端壁２４及び第２端壁２８、及び、周壁３０を有している。該ケーシング１２は更に、シャフト１４に対して直角方向に延びる隔壁２２を有しており、ケーシング１２内を第１及び第２室３２，３４に分割されている。
【００１４】
第１室３２内には、ワイヤー２０が巻きつけられたドラム１６がシャフト１４の周りで回動可能に設けられている。ドラム１６内には、ぜんまいバネ１８が設けられている。
【００１５】
第２室３４内には、シャフト１４に固定され、隔壁２２上で回転摺動するようにされた円盤状カム板３６が設けられている。該カム板３６は、第１端壁２４に面している平面を有しており、該平面には図３に示すようにシャフト１４を中心にしたらせん状カム輪郭部、図示の実施例においては、らせん状のカム溝３８が設けられている。
【００１６】
これに対して、第１端壁２４にはシャフト１４を中心とした放射状線に沿って延びる細長いカム孔４０が設けられている。
【００１７】
第１端壁２４と、カム板３６との間にはカム従動子としてのピン４２が設けられており、その一端はカム溝３８に摺動可能に嵌合され、他端はカム孔４０に挿通されている。ピン４２には円盤状の保持部材４４が取り付けられており、該保持部材４４は、その両端面が第１端壁２４の内面とカム板３６の表面に摺動するようにされており、ピン４２を第１端壁２４及びカム板３６に対して直角に保つように作用する。
【００１８】
引き戸閉鎖装置１０は、以上のように構成されるものであり、ぜんまいバネ１８のワイヤー２０を引き込める力を設定するためには、シャフト１４の（図１及び図２で見て上端にある）凹部にドライバを係合させて、該シャフト１４を回転することにより、ドラム１６が当該ぜんまいバネ１８を巻きつける方向に回転する。
【００１９】
シャフト１４が回転されると、該シャフト１４に固定されているカム板３６は該シャフト１４と一緒に回転される。従って、該カム板３６に形成されているカム輪郭部としてのカム溝３８も、図１で見て、反時計方向に回転するが、ピン４２はケーシング１２の第１端壁２４に形成したカム孔４０に係合しているので、回転はできず、従って、該カム孔４０に沿って外側に変位されることになる。該変位は、シャフト１４の回転に比例する。
【００２０】
図４は、第１端壁２４に形成されたカム孔４０及びそれに平行に設けられたスケール４６を示しており、上記シャフト１４の回転に伴うピン４２の変位を検知できるようにしている。
【図面の簡単な説明】
【００２１】
【図１】本発明に係る引き戸閉鎖装置１０の一部切欠き斜視図である。
【図２】図１のII-II線に沿って見た断面図である
【図３】図２のIII-III線に沿って見た平面図である
【図４】本発明に係る引戸閉鎖装置１０の平面図である。
【符号の説明】
【００２２】
１０      引き戸閉鎖装置
１２      ケーシング
１４      シャフト
１６      ドラム
１８      ぜんまいバネ
２０      ワイヤー
２２      隔壁
２４      第１端壁
２８      第２端壁
３０      周壁
３２      第１室
３４      第２室
３６      カム板
３８      カム溝（らせん状溝）
４０      カム孔（ガイド孔）
４２      ピン（回転数表示部材）
４４      保持部材
４６      スケール
【図１】
2006070559.tif 000003
【図２】
2006070559.tif 000004
【図３】
2006070559.tif 000005
【図４】
2006070559.tif 000006